(57)【特許請求の範囲】
【請求項１】
受信データを取り込んで出力する端末装置であって、
受信データを記憶する受信データ記憶手段と、
周囲に存在している他の端末装置からプロフィール情報を取得するプロフィール情報取得手段と、
前記プロフィール情報取得手段によるプロフィール情報の取得に応じてデータ抽出タイミングになったか否かを判別する判別手段と、
この判別手段によってデータ抽出タイミングになったことが判別された際に、現在取り込み中の受信データと前記受信データ記憶手段に記憶されている受信データの中から当該データ抽出タイミングに応じたデータ抽出条件に該当する受信データを抽出する抽出手段と、
この抽出手段によって抽出された受信データを出力する出力手段と、
を具備したことを特徴とする端末装置。
【請求項２】
ネットワークを介して商品情報を取得する商品情報取得手段を更に備え、
前記判別手段は、前記プロフィール情報の取得に代えて、前記商品情報取得手段による商品情報の取得に応じて前記データ抽出タイミングになったと判別する、
ようにしたことを特徴とする請求項１記載の端末装置。
【請求項３】
ネットワーク上に公開されている情報ページを取得する情報ページ取得手段を更に備え、
前記判別手段は、前記プロフィール情報の取得に代えて、前記情報ページ取得手段による情報ページの取得に応じて前記データ抽出タイミングになったと判別する、
ようにしたことを特徴とする請求項１記載の端末装置。
【請求項４】
コンテンツを再生するコンテンツ再生手段を更に備え、
前記判別手段は、前記プロフィール情報の取得に代えて、前記コンテンツ再生手段によってコンテンツの再生開始に応じて前記データ抽出タイミングになったと判別する、
ようにしたことを特徴とする請求項１記載の端末装置。
【請求項５】
位置情報を取得する位置取得手段を更に備え、
前記判別手段は、前記プロフィール情報の取得に代えて、前記位置取得手段による位置情報の変化検出に応じて前記データ抽出タイミングになったと判別する、
ようにしたことを特徴とする請求項１記載の端末装置。
【請求項６】
通信手段を介して接続された通信相手先の通信識別情報を取得する通信識別情報取得手段を更に備え、
前記判別手段は、前記プロフィール情報の取得に代えて、前記通信識別情報取得手段による通信識別情報の取得に応じて前記データ抽出タイミングになったと判別する、
ようにしたことを特徴とする請求項１記載の端末装置。
【請求項７】
時計手段からの計時情報によって特定される特定日時に関する特定情報を取得する特定情報取得手段を更に備え、
前記判別手段は、前記プロフィール情報の取得に代えて、前記特定情報取得手段による特定情報の取得に応じて前記データ抽出タイミングになったと判別する、
ようにしたことを特徴とする請求項１記載の端末装置。
【請求項８】
前記判別手段は、前記プロフィール情報の取得に代えて、周囲に存在する他の端末装置が近距離通信手段によって検知された際に、当該他の端末が予め登録されている登録端末であることを条件に前記データ抽出タイミングになったと判別する、
ようにしたことを特徴とする請求項１記載の端末装置。
【請求項９】
前記データ抽出タイミングが複数ある場合に、前記複数のデータ抽出タイミングの個々に対応して、どのような種類を条件としてデータを抽出するかを示す条件種別を記憶する抽出条件種別記憶手段を更に備え、
前記抽出手段は、前記判別手段によってデータ抽出タイミングになったことが判別された際に、当該データ抽出タイミングに対応して記憶されている前記条件種別に応じてデータ抽出条件を特定し、このデータ抽出条件に該当する受信データを抽出する、
ようにしたことを特徴とする請求項１記載の携帯端末装置。
【請求項１０】
コンピュータに対して、
周囲に存在している他の端末装置からプロフィール情報を取得する機能と、
前記プロフィール情報の取得に応じてデータ抽出タイミングになったか否かを判別する機能と、
前記データ抽出タイミングになったことが判別された際に、現在取り込み中の受信データと予め受信記憶しておいた受信データの中から当該データ抽出タイミングに応じたデータ抽出条件に該当する受信データを抽出する機能と、
前記抽出された受信データを出力する機能と、
を実現させるためのプログラム。
【発明の詳細な説明】
【技術分野】
【０００１】
この発明は、受信データを取り込んで出力する端末装置及びプログラムに関する。
【背景技術】
【０００２】
近年、日々膨大な量の番組やコマーシャルなどのテレビ放送が配信／放送されており、その中から自分の求める番組やコマーシャルなどを選択することは極めて困難な作業となっている。そこで、従来では、例えば、特許文献１のように事前にカテゴリーを設定しておき、受信したコンテンツの中から設定カテゴリーに合致するコンテンツのみを選択的に抽出してリアルタイムに映像・音声出力したり、記憶（録画）したりする技術が開示されている。
【先行技術文献】
【特許文献】
【０００３】
【特許文献１】特開２００１−１４５０３９号公報
【発明の開示】
【発明が解決しようとする課題】
【０００４】
しかしながら、上述した先行技術にあっては、設定カテゴリーに合致するコンテンツであったとしても、そのコンテンツがその時に必要なコンテンツであるとは限らない。また、録画されたコンテンツの中から所望するコンテンツを探し出すことは、その録画数（記憶数）が多くなればなるほど困難なものとなる。
【０００５】
この発明の課題は、現在取り込み中の受信データだけではなく、記憶しておいた受信データをも含めて、それらの中から必要なときに必要な受信データを抽出して出力できるようにすることである。
【課題を解決するための手段】
【０００６】
本発明の端末装置は、受信データを取り込んで出力する端末装置であって、受信データを記憶する受信データ記憶手段と、周囲に存在している他の端末装置からプロフィール情報を取得するプロフィール情報取得手段と、前記プロフィール情報取得手段によるプロフィール情報の取得に応じてデータ抽出タイミングになったか否かを判別する判別手段と、この判別手段によってデータ抽出タイミングになったことが判別された際に、現在取り込み中の受信データと前記受信データ記憶手段に記憶されている受信データの中から当該データ抽出タイミングに応じたデータ抽出条件に該当する受信データを抽出する抽出手段と、この抽出手段によって抽出された受信データを出力する出力手段と、を具備したことを特徴とする端末装置である。
【０００７】
本発明のプログラムは、コンピュータに対して、周囲に存在している他の端末装置からプロフィール情報を取得する機能と、前記プロフィール情報の取得に応じてデータ抽出タイミングになったか否かを判別する機能と、前記データ抽出タイミングになったことが判別された際に、現在取り込み中の受信データと予め受信記憶しておいた受信データの中から当該データ抽出タイミングに応じたデータ抽出条件に該当する受信データを抽出する機能と、前記抽出された受信データを出力する機能と、を実現させるためのプログラムである。
【発明の効果】
【０００８】
この発明によれば、現在取り込み中の受信データだけではなく、記憶しておいた受信データをも含めて、それらの中から必要なときに必要な受信データを抽出して出力することができ、ユーザにあっては常にタイムリーな入手することが可能となり、その活用を高めることが可能となる。
【図面の簡単な説明】
【０００９】
【図１】端末装置として適用したテレビ放送受信機能付き携帯電話装置が利用可能な通信ネットワークシステムを示したブロック図。
【図２】携帯電話装置１の基本的な構成要素を示したブロック図。
【図３】受信データメモリＭ３を説明するための図。
【図４】記憶条件メモリＭ４を説明するための図。
【図５】抽出条件種別メモリＭ５を説明するための図。
【図６】電源投入に応じて実行開始される携帯電話装置１の全体動作を示したフローチャート。
【図７】図６に続く動作を示すフローチャート。
【図８】図７に続く動作を示すフローチャート。
【図９】図８に続く動作を示すフローチャート。
【図１０】図８、図９に続く動作を示すフローチャート。
【図１１】記憶条件を設定する設定画面を例示した図。
【図１２】「データ抽出タイミング」の一覧画面を例示した図。
【図１３】選択された「データ抽出タイミング」に対応して、「データ抽出条件種別」を設定するための設定画面を例示した図。
【発明を実施するための形態】
【００１０】
以下、図１〜図１３を参照して本発明の実施例を説明する。
図１は、端末装置として適用したテレビ放送受信機能付き携帯電話装置が利用可能な通信ネットワークシステムを示したブロック図である。
携帯電話装置１は、この携帯電話装置は、例えば、２つの筐体（操作部筐体、表示部筐体）が開閉可能に取り付けられた折り畳み自在なもので、通話機能、電子メール機能、インターネット接続機能（Ｗｅｂアクセス機能）のほか、デジタルテレビ放送（例えば、ワンセグ地上デジタルテレビ放送）を受信可能なテレビ放送受信機能、１ｍあるいは１０ｍ以内の範囲で通信を行う近距離通信機能、音楽コンテンツを再生する音楽再生機能などを備えている。
【００１１】
携帯電話装置１は、最寄りの基地局２Ａ、交換機２Ｂから無線通信網（移動体通信網）２に接続されると、この無線通信網２を介して他の携帯電話機１との間で通話可能な状態となる。また、携帯電話機１は、無線通信網２を介してメールサーバ（図示せず）に接続されると、電子メールの送受信が可能となり、また、無線通信網２を介してインターネット３に接続されると、Ｗｅｂサイトをアクセスして所望する音楽コンテンツ、映像コンテンツなどをダウンロード受信したり、インターネット上に公開されている情報ページ（Ｗｅｂページ）の閲覧が可能となったり、オンラインショッピングによって各種の商品を購入が可能となったりする。
【００１２】
また、携帯電話装置１は、テレビ局（放送局）４から送信基地局５を介して発信された地上波デジタル放送を受信すると、この放送の番組を映像データ、音声データなどに分離して出力したり、受信した放送番組を記憶（録画）したりする。この場合、テレビ放送の番組情報などは、放送局４からの放送信号に重畳されている番組情報などをその放送信号から分離することによって取得するほか、電子番組表（ＥＰＧ）を利用して取得するようにしているが、インターネット３を介してテレビ情報提供サーバ（図示せず）からダウンロード受信することによって取得するようにしてもよい。また、テレビ放送をテレビ局４からインターネット３、無線通信網２を介して受信するようにしてもよい。
【００１３】
図２は、携帯電話装置１の基本的な構成要素を示したブロック図である。
制御部１１は、二次電池を備えた電源部１２からの電力供給によって動作し、記憶部１３内の各種のプログラムに応じて携帯電話装置１の全体動作を制御するもので、この制御部１１にはＣＰＵ（中央演算処理装置）やメモリなどが設けられている。記憶部１３は、内部メモリで、プログラム領域とデータ領域とを有し、このプログラム領域には、後述する図６〜図１０に示す動作手順に応じて本実施例を実現するためのプログラムが格納されている。
【００１４】
また、記憶部１３のデータ領域には、通信相手毎にその名前、電話番号、メールアドレス、誕生日、趣味などの個人情報を記憶するアドレス帳ＡＤが設けられており、更に、自己のプロフィール情報（名前、生年月日、趣味など）を記憶するプロフィールメモリＭ１、テレビ放送の予約情報（チャンネル、放送時間など）を記憶する録画予約テーブルＭ２のほか、後述する受信データメモリＭ３、記憶条件メモリＭ４、抽出条件種別メモリＭ５などが設けられている。なお、記憶部１３としては、例えば、ＳＤカード、ＩＣカードなど、着脱自在な可搬型メモリ（記録メディア）を含む構成であってもよい。
【００１５】
表示部１４は、高精細液晶あるいは有機ＥＬなどを使用し、例えば、数値、文字、待受画像、撮影画像、テレビ映像などを高精細表示するほか、後述する図１１〜図１３の画面を表示する。操作部１５は、ダイヤル入力、文字入力、コマンド入力などを行うもので、操作部１５から発信操作、メール送信操作、各種の設定操作、テレビ放送受信開始／終了操作、プロフィール情報交換操作などを行うと、制御部１１は、操作部１５からの操作信号に応じた処理を実行する。
【００１６】
広域通信部１６は、無線部、ベースバンド部、多重分離部などを備え、例えば、通話機能、電子メール機能、インターネット接続機能の動作時に最寄りの基地局２Ａとの間でデータの送受信を行うもので、通話機能の動作時にはベースバンド部の受信側から信号を取り込んで受信ベースバンド信号に復調したのち、電話部１７を介して通話用スピーカＳＰから音声出力させ、また、通話用マイクＭＣからの入力音声データを電話部１７から取り込み、送信ベースバンド信号に符号化したのち、ベースバンド部の送信側に与えてアンテナから発信出力させる。
【００１７】
テレビ受信部１８は、携帯電話などの携帯受信機向けの地上波デジタルテレビ放送を受信するもので、テレビ映像及び音声情報以外にも電子番組表（ＥＰＧ）なども含めて受信可能である。テレビ放送受信部１８は、ＴＶアンテナに接続されていて放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。
【００１８】
このテレビ受信部１８によって受信されたテレビ放送内容（受信データ）のうち、テレビ映像データ及び文字データは、表示部１４から出力され、また、テレビ音声データは、サウンドスピーカ（図示せず）から出力される。制御部１１は、テレビ放送内容（受信データ）を取り込んだ際に、予め設定されている記憶条件（例えば、趣味、商品、地域、会社など）に合致する受信データであるか否かを判別し、この条件に合致する受信データであれば、このデータを受信データメモリＭ３に記憶させる。なお、放送内容とは、テレビ番組に限らず、ＣＭ（コマーシャル）放送などであり、記憶条件が商品名などの場合に、この記憶条件に合致するＣＭ放送であれば、このＣＭ放送内容は受信データメモリＭ３に記憶される。
【００１９】
近距離通信部１９は、赤外線通信あるいはBluetooth（登録商標）通信などの非接触タイプの通信であり、制御部１１は、周囲に存在している他の端末装置（携帯電話装置）との間で近距離通信部１９を介してプロフィール情報を交換するようにしている。制御部１１は、他の端末装置との間でプロフィール情報の交換を指示する操作が行われると、他の端末装置との間で近距離通信部１９を介してプロフィール情報の交換を行い、また、近距離通信部１９が接近している他の端末装置を検出すると、制御部１１は、予め登録されている登録端末であることを条件に、他の端末装置との間でプロフィール情報の交換を行うようにしている。
【００２０】
時計部２０は、現在日時を計時するもので、制御部１１は、時計部２０から現在日時を取得する。位置検出部２１は、ＧＰＳ（Global Positioning System）部を構成するもので、制御部１１は、位置検出部２１から現在位置を取得する。充電検出部２２は、クレードル（充電器）に接続された際に、充電中であることを検出するもので、制御部１１は、充電中にテレビ受信部１８を起動させ、録画予約テーブルＭ２を参照し、予約録画されている番組やＣＭなどがあれば、その放送を受信して受信データメモリＭ３に記憶させるようにしている。
【００２１】
図３は、受信データメモリＭ３を説明するための図である。
受信データメモリＭ３は、予め設定されている記憶条件（例えば、趣味、地域、所属など）に合致する受信データ（テレビ放送内容）を順次記憶するもので、各受信データには、「ＩＤ」、「付加データ」、「コンテンツデータ」を有している。「ＩＤ」は、受信データを識別するための識別情報（一連Ｎｏ）である。「付加データ」は、番組情報や文字データであり、番組内容、出演者、番組ジャンル、コマーシャル商品などを示している。「コンテンツデータ」は、テレビ放送の映像コンテンツや音響コンテンツである。
【００２２】
図４は、記憶条件メモリＭ４を説明するための図である。
記憶条件メモリＭ４は、上述した記憶条件（例えば、趣味、地域、勤務先、好みなど）を記憶するもので、予めユーザ操作によって任意に設定されたものである。なお、図示の例では、住所や興味がある地域として「立川」、「吉祥寺」、「八王子」、…、また、趣味として「旅行」、「ラクビー」、…、また、勤務先や興味がある会社名として「○○会社」…、などを記憶条件（キーワード）として設定した場合であり、この記憶条件に合致するテレビ放送内容のみが受信データメモリＭ３に記憶される。
【００２３】
図５は、抽出条件種別メモリＭ５を説明するための図である。
抽出条件種別メモリＭ５は、複数のデータ抽出タイミングの個々に対応して、受信データメモリＭ３からどのような種類の条件で受信データを抽出するかを示す条件種別を記憶するもので、「データ抽出タイミング」、「データ抽出条件種別」の各項目を有する構成となっている。ここで、「データ抽出タイミング」とは、現在取り込み中の受信データ（現在受信中のテレビ放送内容）と受信データメモリＭ３内の受信データの中から所望する受信データを抽出するタイミングを示している。また、「データ抽出条件種別」とは、対応するデータ抽出タイミングになった際に、どのような種類を条件として受信データを抽出するかの条件種別を示している。
【００２４】
図示の例において「データ抽出タイミング」として、“プロフィール情報を交換して互いの趣味が一致したタイミング”、“位置登録した基地局が変化したタイミング”、“オンラインショッピングが成立したタイミング”、“時計の日更新時に誕生日に該当する相手を検出したタイミング”、“音楽コンテンツ再生を開始したタイミング”、“ＷｅｂページアクセスによってＷｅｂページを閲覧したタイミング”、“電子メールを送信したタイミング”、“接近している他の端末が予め登録されている登録端末であると認識したタイミング”が設定されている。
【００２５】
また、図示の例においては、“プロフィール情報を交換して互いの趣味が一致したタイミング”に対応する「データ抽出条件種別」として、“プロフィール情報内の趣味情報”が設定されている。また、“位置登録した基地局が変化したタイミング”に対応する「データ抽出条件種別」として、“住所情報”が設定され、また、“オンラインショッピングが成立したタイミング”に対応する「データ抽出条件種別」として、“購入商品名情報”が設定され、また、“時計の日更新時に誕生日に該当する相手を検出したタイミング”に対応する「データ抽出条件種別」として、“趣味情報”が設定されている。
【００２６】
また、“音楽コンテンツ再生を開始したタイミング”に対応する「データ抽出条件種別」として、“ミュージシャン情報”が設定され、“ＷｅｂページアクセスによってＷｅｂページを閲覧したタイミング”
に対応する「データ抽出条件種別」として、“Ｗｅｂページのメタ情報のうち登録キーワードに該当する情報”が設定され、“電子メールを送信したタイミング”に対応する「データ抽出条件種別」として、“送信先メールアドレス情報”が設定され、“接近している他の端末が予め登録されている登録端末であると認識したタイミング”に対応する「データ抽出条件種別」として、“取得したプロフィール情報内の趣味情報と自己のプロフィール情報内の趣味情報とが一致する場合の趣味情報”が設定されている。
【００２７】
この抽出条件種別メモリＭ５の内容に基づいて制御部１１は、複数のデータ抽出タイミングのうち、何れのタイミングになったかを判別するようにしている。すなわち、制御部１１は、上述した抽出条件種別メモリＭ５を参照し、例えば、プロフィール情報の交換時にプロフィールメモリＭ１内の自己のプロフィール情報と近距離通信部１９を介して取得した相手のプロフィール情報とを比較し、両者の趣味情報が一致するか否かを判別し、両者の趣味が一致していれば、「データ抽出タイミング」として、“プロフィール情報を交換して互いの趣味が一致したタイミング”になったと判別する。そして、この「データ抽出タイミング」では、現在取り込み中の受信データと受信データメモリＭ３内の受信データの中から当該データ抽出タイミングに応じた「データ抽出条件」としての“プロフィール情報内の趣味情報”を参照し、両者に共通する趣味に関連する受信データを抽出して出力させるようにしている。
【００２８】
また、制御部１１は、時計部２０による日更新時にアドレス帳ＡＤを検索し、特定日時に関する特定情報が登録されているか、つまり、誕生日に該当する相手が登録されているかを判断し、誕生日の相手が登録されていれば、データ抽出タイミングになったと判断して、アドレス帳ＡＤの内容から当該相手の趣味を特定し、この趣味に関連する受信データを抽出して出力させるようにしている。
【００２９】
次に、この実施形態における携帯電話装置１の動作概念を図６〜図１０に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施形態特有の動作を実行することもできる。
【００３０】
図６〜図１０は、電源投入に応じて実行開始される携帯電話装置１の全体動作を示したフローチャートである。
先ず、制御部１は、所定のメモリをクリアするなどの初期設定を行った後（図６のステップＳ１）、電子番組表及び記憶条件メモリＭ４を参照しながら、例えば、今日あるいは今後１週間のテレビ放送から記憶条件メモリＭ４の内容に合致するテレビ放送を特定して、その録画を予約する予約情報を作成して録画予約テーブルＭ２に記憶させる（ステップＳ２）。これによって録画予約テーブルＭ２には、例えば、特定の趣味に関する番組放送、特定の商品に関するＣＭ放送、商品に関する番組放送などの録画予約情報としてその放送日時（予約日時）、チャンネルなどが順次記憶される。なお、このような録画予約テーブルＭ２を作成は、電源投入時に実行する場合に限らず、ユーザ操作によって予約開始が指示された際に実行するようにしてもよく、また、例えば、１２時間毎など定期的に実行するようにしてもよい。
【００３１】
このようにして録画予約テーブルＭ２を作成する実行を実行したのちは、所定の待受画像を読み出して表示させながら待ち受け状態となる（ステップＳ３）。この待ち受け状態において広域通信部６から電話の着信有無をチェックし（ステップＳ４）、電話着信を検出したときには、回線接続させるオフフック操作に応答して（ステップＳ５でＹＥＳ）、通話可能状態とする通話処理を実行し（ステップＳ６）、その後、回線を遮断させるオンフック操作に応答して（ステップＳ７でＹＥＳ）、回線遮断処理を行う（ステップＳ８）。そして、上述のステップＳ３の待ち受け状態に戻る。
【００３２】
また、待ち受け状態において記憶条件メモリＭ４に対する設定操作が行われたときには（ステップＳ９でＹＥＳ）、ユーザ操作によって任意に入力された「記憶条件」を記憶条件メモリＭ４に設定する処理を行う（ステップＳ１０）。この場合、既に設定されている「記憶条件」を変更する変更設定に限らず、新たに入力された「記憶条件」を新規設定するようにしてもよい。図１１は、記憶条件を設定する場合の設定画面を例示したもので、任意のキーワードを記憶条件として追加設定する場合を例示している。
【００３３】
また、待ち受け状態において抽出条件種別メモリＭ５に対する設定操作が行われたときには（ステップＳ１１でＹＥＳ）、ユーザ操作によって任意に入力された「データ抽出条件種別」を抽出条件種別メモリＭ５に設定する処理を行う（ステップＳ１２）。この場合においても、「データ抽出タイミング」に対応して、「データ抽出条件種別」を変更する設定に限らず、「データ抽出条件種別」を新規に設定するようにしてもよい。
【００３４】
図１２、図１３は、「データ抽出条件種別」を設定する設定画面を説明するための図であり、図１２は、「データ抽出タイミング」の一覧画面を例示したもので、この一覧画面の中から任意の「データ抽出タイミング」が選択されると、選択項目を明示するために当該「データ抽出タイミング」を反転表示させる。図１３は、選択された「データ抽出タイミング」に対応して、「データ抽出条件種別」を設定するための設定画面を例示したもので、“プロフィール情報を交換して互いの趣味が一致したタイミング”に対応する「データ抽出条件種別」である“プロフィール情報内の趣味情報”のうち、そのキーワードとして“趣味”を入力した場合を例示したものである。
【００３５】
待ち受け状態においてテレビ放送受信開始操作が行われたときには（図７のステップＳ１３でＹＥＳ）、テレビ受信部１８を起動させてテレビ受信を開始させると共に、受信データを出力させる（ステップＳ１４）。そして、この受信データの中から番組情報などの付加データを取得した後（ステップＳ１５）、記憶条件メモリＭ４を参照し、その「記憶条件」に該当する受信データであるかを調べ（ステップＳ１６）、「記憶条件」に該当する受信データであれば、この受信データを記憶対象として特定して、受信データメモリＭ３に記憶させる（ステップＳ１７）。その後、テレビ放送受信終了操作が行われると（ステップＳ１８でＹＥＳ）、受信データの記憶中であることを条件に（ステップＳ１９でＹＥＳ）、その記憶動作を終了させた後（ステップＳ２０）、テレビ受信部１８を停止させてテレビ受信を終了させる（ステップＳ２１）。
【００３６】
また、待ち受け状態においてクレードル（充電器）に接続されたことが充電検出部２２によって検出されると（ステップＳ２２でＹＥＳ）、制御部１１は、録画予約テーブルＭ２に記憶されている各予約日時と現在日時とを比較することによって何れかの予約日時に達しているかを調べ（ステップＳ２３）、何れかの予約日時に達していれば、その予約番組やＣＭ放送を受信するためにその放送チャンネルへの切り替えを行って当該予約番組やＣＭ放送を受信し、受信データメモリＭ３に記憶させる（ステップＳ２４）。以下、クレードル接続中においては予約日時に達する毎に、予約番組やＣＭ放送を受信して記憶する動作を繰り返す。その後、クレードルへの接続が解除されて充電終了であることが充電検出部２２によって検出されると（ステップＳ２５でＹＥＳ）、制御部１１は、受信データの記憶中であることを条件に（ステップＳ２６でＹＥＳ）、その記憶動作を終了させたのち（ステップＳ２７）、テレビ受信部１８を停止させてテレビ受信を終了させる（ステップＳ２８）。
【００３７】
待ち受け状態において受信データを周期的に記憶させるためのタイミング（例えば、３０分間隔）になったときには（図８のステップＳ２９でＹＥＳ）、録画予約テーブルＭ２に記憶されている各予約日時と現在日時とを比較することによって何れかの予約日時に達しているかを調べ（ステップＳ３０）、何れかの予約日時に達していれば、その予約番組やＣＭ放送を受信するためにその放送チャンネルへの切り替えを行ってその予約番組やＣＭ放送を受信し、受信データメモリＭ３に記憶させる（ステップＳ３１）。
【００３８】
待ち受け状態においてプロフィール情報の交換を指示する操作が行われたときには（ステップＳ３２）、近距離通信部１９を介して他の端末装置から相手のプロフィール情報を取得すると共に、プロフィールメモリＭ１から自己のプロフィール情報を読み出し、近距離通信部１９を介して他の端末装置に送信することによってプロフィール情報の交換を行う（ステップＳ３３）。そして、相手のプロフィール情報から趣味情報を取得すると共に（ステップＳ３４）、自己のプロフィール情報から趣味情報を取得し（ステップＳ３５）、両者の趣味情報が一致するかを調べる（ステップＳ３６）。
【００３９】
ここで、両者の趣味情報が不一致であれば（ステップＳ３６でＮＯ）、上述した待ち受け状態に戻るが（図６のステップＳ３）、両者の趣味情報が一致していれば（ステップＳ３６でＹＥＳ）、抽出条件種別メモリＭ５に設定されているデータ抽出タイミング、すなわち、“プロフィール情報を交換して互いの趣味が一致したタイミング”になったと判断して、図１０のフローに移り、この“プロフィール情報を交換して互いの趣味が一致したタイミング”に対応する「データ抽出条件種別」に基づいてデータ抽出条件を特定する（ステップＳ５７）。この場合、データ抽出条件として“趣味情報”が特定される。
【００４０】
そして、受信データメモリＭ３を検索して当該データ抽出条件に該当する受信データの有無をチェックし（ステップＳ５８）、その条件に該当する受信データが無ければ、上述した待ち受け状態に戻るが（図６のステップＳ３）、条件に該当する受信データが有れば（ステップＳ５８でＹＥＳ）、それを出力対象として抽出する（ステップＳ５９）。この場合、現在、テレビ放送を受信中であるかを調べ（ステップＳ６０）、テレビ放送を受信中であれば、そのテレビ放送（現在取り込み中の受信データ）は当該データ抽出条件に該当するかを調べる（ステップＳ６１）。いま、受信中のテレビ放送がデータ抽出条件に該当していれば（ステップＳ６１でＹＥＳ）、それを出力対象として抽出する（ステップＳ６２）。そして、上述のようにして抽出した受信データのうち、テレビ映像データ及び文字データは、表示部１４から出力され、また、テレビ音声データは、サウンドスピーカ（図示せず）から出力される（ステップＳ６３）。
【００４１】
また、近距離通信部１９を介して他の端末装置が接近したことを検出した際には（図８のステップＳ３７でＹＥＳ）、当該他の端末装置側から発信された端末識別情報を参照し、予め登録されている登録端末であるか否かを判別し（ステップＳ３８）、知人などの登録端末であれば、上述の場合と同様に、プロフィール情報の交換を行うと共に（ステップＳ３３）、両者の趣味情報が一致していれば（ステップＳ３６でＹＥＳ）、データ抽出タイミングになったと判断して、抽出条件種別メモリＭ５を参照し、“接近している他の端末が予め登録されている登録端末であると認識したタイミング”に対応する「データ抽出条件種別」に基づいてデータ抽出条件として特定した後（図１０のステップＳ５７）、この抽出条件に該当する受信データを出力させる（ステップＳ５８〜Ｓ６３）。
【００４２】
また、最寄りの基地局２Ａを介して交換機２Ｂへの位置登録時に登録基地局の変化（通信エリア移動）を検出すると（図８のステップＳ３９でＹＥＳ）、データ抽出タイミングになったと判断して、抽出条件種別メモリＭ５を参照し、“位置登録した基地局が変化したタイミング”に対応する「データ抽出条件種別」に基づいて位置検出部２１から現在位置を取得し（ステップＳ４０）、この現在位置から住所情報を取得する（ステップＳ４１）。この場合、住所付き地図情報が内部記憶されていなければ、インターネット３を介して住所付き地図情報を取得した後、現在位置に該当する住所情報を得るようにしている。そして、図１０のフローに移り、この住所情報をデータ抽出条件として特定した後（ステップＳ５７）、この抽出条件に該当する受信データを出力させる（ステップＳ５８〜Ｓ６３）。
【００４３】
また、インターネット上でオンラインショッピング操作が行われたときには（図８のステップＳ４２でＹＥＳ）、商品購入、ユーザ認証などの一連の手続が完了したか否か（オンラインショッピングが成立したか否か）を調べ（ステップＳ４３）、成立しなければ、上述した待ち受け状態に戻るが（図６のステップＳ３）、成立したときには（ステップＳ４３でＹＥＳ）、データ抽出タイミングになったと判断して、抽出条件種別メモリＭ５を参照し、“オンラインショッピングが成立したタイミング”に対応する「データ抽出条件種別」に基づいて今回購入した商品情報を取得する（ステップＳ４４）。そして、図１０のフローに移り、この購入商品情報をデータ抽出条件として特定した後（ステップＳ５７）、この抽出条件に該当する受信データを出力させる（ステップＳ５８〜Ｓ６３）。
【００４４】
また、時計部２０で日付が更新されたときには（図９のステップＳ４５でＹＥＳ）、アドレス帳ＡＤをアクセスし（ステップＳ４６）、この更新された日が誕生日となる相手の登録有無を調べ（ステップＳ４７）、該当する相手が登録されていなければ、上述した待ち受け状態に戻るが（図６のステップＳ３）、誕生日に該当する相手が登録されていれば（ステップＳ４７でＹＥＳ）、データ抽出タイミングになったと判断して、抽出条件種別メモリＭ５を参照し、“時計の日更新時に誕生日に該当する相手を検出したタイミング”に対応する「データ抽出条件種別」に基づいてアドレス帳ＡＤから該当相手の趣味情報を取得する（ステップＳ４８）。そして、図１０のフローに移り、この趣味情報をデータ抽出条件として特定した後（ステップＳ５７）、この抽出条件に該当する受信データを出力させる（ステップＳ５８〜Ｓ６３）。
【００４５】
また、音楽再生機能の起動を指示して再生対象の音楽を選択する音楽再生開始操作が行われたときには（図９のステップＳ４９でＹＥＳ）、データ抽出タイミングになったと判断して、抽出条件種別メモリＭ５を参照し、“音楽コンテンツ再生を開始したタイミング”に対応する「データ抽出条件種別」に基づいて再生対象の音楽からそのミュージシャン情報を取得する（ステップＳ５０）。そして、図１０のフローに移り、このミュージシャン情報をデータ抽出条件として特定した後（ステップＳ５７）、この抽出条件に該当する受信データを出力させる（ステップＳ５８〜Ｓ６３）。
【００４６】
インターネット３に接続してＷｅｂページの閲覧（取得）を指示する操作が行われたときには（図９のステップＳ５１でＹＥＳ）、データ抽出タイミングになったと判断して、抽出条件種別メモリＭ５を参照し、“ＷｅｂページアクセスによってＷｅｂページを閲覧したタイミング”
に対応する「データ抽出条件種別」に基づいて当該Ｗｅｂページのメタ情報からキーワード情報を取得する（ステップＳ５２）。そして、図１０のフローに移り、このキーワード情報をデータ抽出条件として特定した後（ステップＳ５７）、この抽出条件に該当する受信データを出力させる（ステップＳ５８〜Ｓ６３）。
【００４７】
電子メール送信を指示する操作が行われたときには（図９のステップＳ５３でＹＥＳ）、データ抽出タイミングになったと判断して、抽出条件種別メモリＭ５を参照し、“電子メールを送信したタイミング”に対応する「データ抽出条件種別」に基づいて送信先メールアドレス情報を取得する（ステップＳ５４）。そして、図１０のフローに移り、この送信先メールアドレス情報をデータ抽出条件として特定した後（ステップＳ５７）、この抽出条件に該当する受信データを出力させる（ステップＳ５８〜Ｓ６３）。なお、電話発信操作など、その他の操作が行われたときには（図９のステップＳ５５でＹＥＳ）、その操作に応じた処理として、電話発信処理などを行う（ステップＳ５６）。
【００４８】
以上のように、この実施形態において制御部１１は、データ抽出タイミングになったか否かを判別し、データ抽出タイミングになった際に、現在取り込み中の受信データと受信データメモリＭ３に記憶されている受信データの中から当該データ抽出タイミングに応じたデータ抽出条件に該当する受信データを抽出して出力させるようにしたので、現在取り込み中の受信データだけではなく、記憶しておいた受信データをも含めて、それらの中から必要なときに必要な受信データを抽出して出力させることができ、ユーザにあってはタイムリーな情報を入手することが可能となり、その活用を高めることが可能となる。
【００４９】
受信データを取り込んだ場合に、予め設定されている記憶条件に該当する場合に当該受信データを受信データメモリＭ３に記憶させるようにしたので、刻々と受信した受信データの中から自分が必要としそうな受信データを抽出して蓄積しているので、受信データメモリＭ３の記憶容量を抑えることができる。
【００５０】
周囲に存在している他の端末装置からのプロフィール情報の取得に応じてデータ抽出タイミングになったと判別するようにしたので、例えば、プロフィール交換を行った際に、その相手に関する受信データを抽出して出力させることができる。この場合、データ抽出タイミングに応じたデータ抽出条件が相手のプロフィール情報内に含まれている趣味であれば、その相手の趣味に関する受信データを抽出して出力させることができ、コミュニケーションの活性化に役立たせることが可能となる。
【００５１】
インターネット３を介しての商品情報の取得に応じてデータ抽出タイミングになったと判別するようにしたので、例えば、オンラインショッピングを行った際に、蓄積している受信データの中から購入した商品に関連する受信データで抽出して出力させることができる。この場合、データ抽出タイミングに応じたデータ抽出条件が購入した商品名（ゲーム機）であれば、新発売の対応ソフトに関する受信データを出力させることができる。
【００５２】
インターネット３を介してのＷｅｂページの閲覧（取得）に応じてデータ抽出タイミングになったと判別するようにしたので、Ｗｅｂページを閲覧（取得）した際に、そのＷｅｂページに関する受信データを抽出して出力させることができる。この場合、データ抽出タイミングに応じたデータ抽出条件がＷｅｂページのメタ情報に含まれているキーワードであれば、このキーワードで関連する役立つ受信データを出力させることができる。
【００５３】
コンテンツの再生開始に応じてデータ抽出タイミングになったと判別するようにしたので、例えば、音楽再生機能の起動時に、その音楽に関する受信データを抽出して出力させることができる。この場合、データ抽出タイミングに応じたデータ抽出条件がミュージシャン情報であれば、その音楽再生時に役立つ受信データを出力させることができる。
【００５４】
位置検出部２１からの現在位置の変化検出に応じてデータ抽出タイミングになったと判別するようにしたので、現在位置に関する受信データを抽出して出力させることができる。この場合、データ抽出タイミングに応じたデータ抽出条件が住所情報であれば、現在の場所の近くにある店の安売り情報のように役立つ受信データを出力させることができる。
【００５５】
通信識別情報の取得に応じてデータ抽出タイミングになったと判別するようにしたので、例えば、電子メールを送信する際にその送信先に関する受信データを抽出して出力させることができる。この場合、例えば、電子メールで懸賞に応募したような場合に応募先の企業情報のように関連する役立つ受信データを出力させることができる。
【００５６】
特定日時に関する特定情報の取得に応じてデータ抽出タイミングになったと判別するようにしたので、例えば、時計部２０による日更新時にアドレス帳ＡＤを検索し、誕生日に該当する相手が登録されていれば、その相手に関する情報として趣味を取得し、この趣味に関連する受信データを出力させることができる。
【００５７】
周囲に存在する他の端末装置が近距離通信部１９によって検知された際に、この他の端末が予め登録されている登録端末であることを条件にデータ抽出タイミングになったと判別するようにしたので、例えば、知人などが接近して来たときに、その知人に関連する受信データを抽出して出力させることができる。
【００５８】
データ抽出タイミングになった際に、複数のデータ抽出タイミングの個々に対応して、どのような種類を条件としてデータを抽出するかを示す条件種別を記憶する抽出条件種別メモリＭ５を検索し、当該データ抽出タイミングに対応して記憶されている条件種別に応じてデータ抽出条件を特定し、このデータ抽出条件に該当する受信データを抽出するようにしたので、データ抽出タイミング毎に特徴的なデータ抽出条件を記憶させておけば、データ抽出タイミング毎に固有の受信データを抽出して出力させることができる。
【００５９】
なお、上述した実施形態においては、“プロフィール情報を交換して互いの趣味が一致したタイミング”に対応する「データ抽出条件種別」として、“プロフィール情報内の趣味情報”を例示したが、趣味情報に限らず、プロフィール情報内の趣味、誕生日、記念日、住所、所属、経歴などのうち、少なくともその何れかであってもよい。
【００６０】
上述した実施形態においては、データ抽出タイミングとして、“位置登録した基地局が変化したタイミング”を例示したが、例えば、１ｋｍのように所定距離を移動したタイミングであってもよく、また、公園、建物などの施設に移動したタイミングであってもよい。また、“位置登録した基地局が変化したタイミング”に対応する「データ抽出条件種別」として、“住所情報”を例示したが、住所に限らず、公園、建物などの施設であってもよい。
【００６１】
上述した実施形態においては、“オンラインショッピングが成立したタイミング”に対応する「データ抽出条件種別」として、“購入商品名情報”を例示したが、商品名に限らず、例えば、商品のメーカ名、商品種、産地などであってもよい。また、“時計の日更新時に誕生日に該当する相手を検出したタイミング”に対応する「データ抽出条件種別」として、“趣味情報”を例示したが、住所、所属などであってもよい。また、“音楽コンテンツ再生を開始したタイミング”に対応する「データ抽出条件種別」として、“ミュージシャン情報”を例示したが、レーベル名などであってもよい。また、コンテンツとしては、音楽コンテンツに限らず、動画コンテンツ、電子書籍コンテンツなどであってもよい。
【００６２】
上述した実施形態においては、データ抽出タイミングとして、“電子メールを送信したタイミング”を例示したが、“電話をかけたタイミング”であってもよく、この“電話をかけたタイミング”に対応する「データ抽出条件種別」として、“電話番号情報”であってもよい。また、“接近している他の端末が予め登録されている登録端末であると認識したタイミング”に対応する「データ抽出条件種別」として、“取得したプロフィール情報内の趣味情報と自己のプロフィール情報内の趣味情報とが一致する場合の趣味情報”を例示したが、住所、所属、経歴などであってもよい。
【００６３】
上述した実施形態においては、デジタルテレビ放送を受信して記憶するようにしたが、デジタルラジオ放送（例えば、サンセグ地上デジタルラジオ放送）を受信して記憶するようにしてもよい。また、受信データとしては、テレビ放送、ラジオ放送に限らず、インターネットなどから配信されて来る映像コンテンツ、音響コンテンツ、文章コンテンツなどであってもよい。
【００６４】
上述した実施形態においては、特定日時に関する特定情報の取得に応じてデータ抽出タイミングになったと判別する場合に、時計部２０で日付が更新された際、アドレス帳ＡＤをアクセスし、この更新された日が誕生日となる相手が登録されていれば、データ抽出タイミングになったと判別するようにしたが、当日が誕生日の場合に限らず、例えば、誕生日の一週間前あるいは一ヶ月前を検出してデータ抽出タイミングになったと判別するようにしてもよい。また、特定日時に関する特定情報としては、誕生日に限らず、その他の記念日として、母の日、クリスマスの日、子供の日などのイベント日としてもよい。更に、特定日時としては、特定時間帯、特定曜日、特定月、特定年などであってもよい。
【００６５】
その他、端末装置としては、携帯電話装置に限らず、例えば、ＰＤＡ、デジタルカメラ、電子腕時計、音楽再生機などの携帯端末装置、ＰＣ（パーソナルコンピュータ）あるいはテレビ受信機自体であってもよい。
【００６６】
以下、本発明の特徴を付記する。
上記の実施形態の一部又は全部は、以下の付記のようにも記載されうるが、以下には限られない。
（付記１）
付記１記載の発明は、
受信データを取り込んで出力する端末装置であって、
受信データを記憶する受信データ記憶手段と、
周囲に存在している他の端末装置からプロフィール情報を取得するプロフィール情報取得手段と、
前記プロフィール情報取得手段によるプロフィール情報の取得に応じてデータ抽出タイミングになったか否かを判別する判別手段と、
この判別手段によってデータ抽出タイミングになったことが判別された際に、現在取り込み中の受信データと前記受信データ記憶手段に記憶されている受信データの中から当該データ抽出タイミングに応じたデータ抽出条件に該当する受信データを抽出する抽出手段と、
この抽出手段によって抽出された受信データを出力する出力手段と、
を具備したことを特徴とする端末装置である。
【００６７】
（付記２）
受信データを取り込んだ場合に、予め設定されている記憶条件に該当するか否かを判別すると共に、この判別の結果、前記記憶条件に該当する場合には当該受信データを前記受信データ記憶手段に記憶させる記憶制御手段を更に備える、
ようにしたことを特徴とする付記１記載の端末装置である。
【００６８】
（付記３）
ネットワークを介して商品情報を取得する商品情報取得手段を更に備え、
前記判別手段は、前記プロフィール情報の取得に代えて、前記商品情報取得手段による商品情報の取得に応じて前記データ抽出タイミングになったと判別する、
ようにしたことを特徴とする付記１あるいは付記２記載の端末装置である。
【００６９】
（付記４）
ネットワーク上に公開されている情報ページを取得する情報ページ取得手段を更に備え、
前記判別手段は、前記プロフィール情報の取得に代えて、前記情報ページ取得手段による情報ページの取得に応じて前記データ抽出タイミングになったと判別する、
ようにしたことを特徴とする付記１あるいは付記２記載の端末装置である。
【００７０】
（付記５）
コンテンツを再生するコンテンツ再生手段を更に備え、
前記判別手段は、前記プロフィール情報の取得に代えて、前記コンテンツ再生手段によってコンテンツの再生開始に応じて前記データ抽出タイミングになったと判別する、
ようにしたことを特徴とする付記１あるいは付記２記載の端末装置である。
【００７１】
（付記６）
位置情報を取得する位置取得手段を更に備え、
前記判別手段は、前記プロフィール情報の取得に代えて、前記位置取得手段による位置情報の変化検出に応じて前記データ抽出タイミングになったと判別する、
ようにしたことを特徴とする付記１あるいは付記２記載の端末装置である。
【００７２】
（付記７）
通信手段を介して接続された通信相手先の通信識別情報を取得する通信識別情報取得手段を更に備え、
前記判別手段は、前記プロフィール情報の取得に代えて、前記通信識別情報取得手段による通信識別情報の取得に応じて前記データ抽出タイミングになったと判別する、
ようにしたことを特徴とする付記１あるいは付記２記載の端末装置である。
【００７３】
（付記８）
時計手段からの計時情報によって特定される特定日時に関する特定情報を取得する特定情報取得手段を更に備え、
前記判別手段は、前記プロフィール情報の取得に代えて、前記特定情報取得手段による特定情報の取得に応じて前記データ抽出タイミングになったと判別する、
ようにしたことを特徴とする付記１あるいは付記２記載の端末装置である。
【００７４】
（付記９）
前記判別手段は、前記プロフィール情報の取得に代えて、周囲に存在する他の端末装置が近距離通信手段によって検知された際に、当該他の端末が予め登録されている登録端末であることを条件に前記データ抽出タイミングになったと判別する、
ようにしたことを特徴とする付記１あるいは付記２記載の端末装置。
【００７５】
（付記１０）
複数の前記データ抽出タイミングの個々に対応して、どのような種類を条件としてデータを抽出するかを示す条件種別を記憶する抽出条件種別記憶手段を更に備え、
前記抽出手段は、前記判別手段によってデータ抽出タイミングになったことが判別された際に、当該データ抽出タイミングに対応して記憶されている前記条件種別に応じてデータ抽出条件を特定し、このデータ抽出条件に該当する受信データを抽出する、
ようにしたことを特徴とする付記１あるいは付記２記載の携帯端末装置である。
【００７６】
（付記１１）
コンピュータに対して、
周囲に存在している他の端末装置からプロフィール情報を取得する機能と、
前記プロフィール情報の取得に応じてデータ抽出タイミングになったか否かを判別する機能と、
前記データ抽出タイミングになったことが判別された際に、現在取り込み中の受信データと予め受信記憶しておいた受信データの中から当該データ抽出タイミングに応じたデータ抽出条件に該当する受信データを抽出する機能と、
前記抽出された受信データを出力する機能と、
を実現させるためのプログラムである。
【符号の説明】
【００７７】
１  携帯電話機
２  無線通信網
３  インターネット
４  テレビ局
５  送信基地局
１１  制御部
１３  記憶部
１４  表示部
１５  操作部
１６  広域通信部
１８  テレビ受信部
１９  近距離通信部
２０  時計部
２１  位置検出部
２２  充電検出部
ＡＤ  アドレス帳
Ｍ１  プロフィールメモリ
Ｍ２  録画予約テーブル
Ｍ３  受信データメモリ
Ｍ４  記憶条件メモリ
Ｍ５  抽出条件種別メモリ
【図１】
0005517223.tif 000002
【図２】
0005517223.tif 000003
【図３】
0005517223.tif 000004
【図４】
0005517223.tif 000005
【図５】
0005517223.tif 000006
【図６】
0005517223.tif 000007
【図７】
0005517223.tif 000008
【図８】
0005517223.tif 000009
【図９】
0005517223.tif 000010
【図１０】
0005517223.tif 000011
【図１１】
0005517223.tif 000012
【図１２】
0005517223.tif 000013
【図１３】
0005517223.tif 000014